(57)【特許請求の範囲】
【請求項１】
歯科インプラントに着脱可能に取り付けられる歯科用治療器具であって、薬剤を封入可能なバスケットと、該バスケットを該歯科インプラントに着脱可能に取り付けるための固定部材と、を有し、該バスケットには該薬剤を除放し得る孔が形成され、
該固定部材がネジであり、該ネジが、該バスケットの底部に設けられた通孔を通して、歯科インプラントの上端部に形成されたネジ孔に螺合される歯科用治療器具。
【請求項２】
前記バスケットは、上端が開口するバスケット本体と、該バスケット本体の開口部を閉塞し得るキャップと、を有し、前記孔は該バスケット本体の周囲に多数形成されている請求項１記載の歯科用治療器具。
【請求項３】
前記薬剤は、テトラサイクリンおよびクロルヘキシジンの少なくとも一種から選択される請求項１又は２に記載の歯科用治療器具。
【発明の詳細な説明】
【０００１】
【発明の属する技術分野】
本発明は、歯科インプラントに着脱可能に取り付けられる歯科用治療器具に関し、特にインプラント歯周炎、天然歯の歯槽膿漏の治療のための薬剤を歯茎部に徐放するための歯科用治療器具に関する。
【０００２】
【従来の技術】
通常、インプラント歯周炎、天然歯の歯槽膿漏の治療には薬剤による治療法があり、通法としては、歯の周り（歯茎部）に薬剤を塗布または巻付けることにより治療するのが一般的である。
【０００３】
【発明が解決しようとする課題】
しかし、インプラント治療において、上記方法を用いるには非常に困難な技術が必要であり、また長期間に亘って薬剤を患者の歯茎部に塗布することは患者に時間的な制約を与えることになり、不便なものである。
【０００４】
本発明は、上記の実状に着目してなされたものであって、その目的とするところは、歯茎部への薬剤の塗布あるいは巻付けが不要であり、したがって困難な技術を必要とせず、また患者にとって通院をする回数を減らし効果的に治療することができる歯科用治療器具を提供することにある。
【０００５】
【課題を解決するための手段】
本発明の歯科用治療器具は、歯科インプラントに着脱可能に取り付けられる歯科用治療器具であって、薬剤を封入可能なバスケットと、該バスケットを該歯科インプラントに着脱可能に取り付けるための固定部材と、を有し、該バスケットには該薬剤を除放し得る孔が形成され、該固定部材がネジであり、該ネジが、該バスケットの底部に設けられた通孔を通して、歯科インプラントの上端部に形成されたネジ孔に螺合されており、そのことにより上記目的が達成される。
【０００６】
一つの実施態様では、前記バスケットは、上端が開口するバスケット本体と、該バスケット本体の開口部を閉塞し得るキャップと、を有し、前記孔は該バスケット本体の周囲に多数形成されている。
【０００７】
一つの実施態様では、前記薬剤は、テトラサイクリンおよびクロルヘキシジンの少なくとも一種から選択される。
【０００９】
以下作用について説明する。
【００１０】
バスケット内に薬剤を封入して、このバスケットを固定部材によって歯科インプラントに取り付けることにより、バスケット内の薬剤は孔から除放して歯茎部に達し、歯科インプラント周囲の歯茎部を治癒することができる。治療後は、歯科インプラントからバスケットを取り外す。
【００１１】
バスケットとして、特に上端が開口するバスケット本体と、該バスケット本体の開口部を閉塞し得るキャップとから構成し、バスケット本体の周囲に多数の孔を形成することにより、薬剤を容易にバスケット内に充填することができ、またバスケット内に薬剤を追加することもでき、さらにバスケットの構成が簡単となる。
【００１２】
【発明の実施の形態】
以下、本発明を図面に基づいて詳細に説明する。
【００１３】
本発明の歯科用治療器具は、図１〜図５に示すように、薬剤を封入可能なバスケット１と、該バスケット１を該歯科インプラント４に着脱可能に取り付ける固定部材としてのネジ３と、を有する。
【００１４】
該バスケット１は、図２に示すように、上端が開口する有底筒状に形成されたバスケット本体１０と、該バスケット本体１０の開口部１１を閉塞し得るキャップ２とを有している。バスケット本体１０の下側の周囲には、多数の孔７が形成されている。この孔７の径や個数はバスケット本体１０内に充填された薬剤９をこの孔７を通して徐々に放出できるかぎり、適宜変更することができる。キャップ２はキャップ本体２０の下面に係合部２１が突設され、この係合部２１をバスケット本体１０の上端開口部１１に嵌合することで、キャップ２をバスケット本体１０にしっかり固定できるようになっている。
【００１５】
バスケット１の底部１２には六角形の第１底板１３と第２底板１４が固定されている。さらに、バスケット１の底部１２にはネジ３を通す通孔８が形成され、また第１底板１３と第２底板１４にも同じ位置に通孔８が形成されている。
【００１６】
上記バスケット１内に充填される薬剤９としては、目的に応じて種々のものが使用できるが、歯槽膿漏の治療薬としては、例えば、テトラサイクリンおよびクロルヘキシジンの少なくとも一種を使用することができる。
【００１７】
本発明のこのような歯科治療器具を人の歯槽骨６に埋設されたインプラント４に固定する場合を次に説明する。
【００１８】
インプラント４の上端部にはねじ穴４１が形成されている。このねじ穴４１に、バスケット１の底面に設けた通孔１５が合致するようにバスケット１をインプラント４上に配置する。このときバスケット１の側面に設けた孔７が歯肉５の部分に位置するようにする。次に、ネジ３をバスケット１の通孔１５および底板１３，１４に通して、インプラント４のねじ穴４１に螺合する。底板１３，１４はバスケット１の底部１２を補強し、バスケット１は確実にインプラント４に固定されることになる。次に、バスケット１の薬剤収容部１６内に薬剤を充填し、キャップ２で開口部１１を閉塞する。
【００１９】
薬剤はバスケット１の孔７から少しずつインプラント４の周囲へと徐放されるために、たびたび通院する必要もなく患者の負担が軽減する。単位時間あたりの薬剤の除放量は、孔７の数や大きさを調節することによって制御できる。バスケット１内の薬剤がなくなったときには、キャップ２を外して薬剤９を補充すればよい。
【００２０】
この歯科用治療器具を歯科インプラント４に装着すれば、バスケット１が空になるまで薬剤の投与が継続されることになり、従来のように、歯茎部に薬剤を塗布または巻付けるよりも確実に、かつ効果的に、歯茎部の治癒を促進することができる。しかも、日常の食生活に何らの影響も及ぼさないなど、日常生活に支障を来すことがない。
【００２１】
上記バスケット１やキャップ２、ネジ３等はインプラント４と同様な金属（ニッケルとチタンの合金等）、セラミックス、プラスチック等で形成することができる。なお、上記実施形態では、バスケット１内の薬剤を除放するために、バスケット１の下部側面に多数の孔７をしたが、バスケット１自体を多孔質のもので形成してもよい。固定部材として用いたネジ３のサイズ、バスケット１に設ける通孔１５等は様々な種類のインプラント４に合わせて変更することができる。
【００２２】
【発明の効果】
本発明の歯科用治療器具によれば、歯槽膿漏等の治療において、歯茎部への薬剤の塗布あるいは巻付けが不要であり、したがって困難な技術を要せず、インプラント周囲の歯槽膿漏等の治癒効果を最大に促進させることが可能となる。薬剤を選択しおよびその除放量を調節することにより、様々な歯科インプラント治療に適用することができる。
【図面の簡単な説明】
【図１】図１は本発明の一実施形態の歯科用治療器具をインプラントに取り付けた状態を示す断面図である。
【図２】図１で示す歯科用治療器具の分解斜視図である。
【図３】図１で示す歯科用治療器具の斜視図である。
【図４】図１で示す歯科用治療器具のキャップを取り外した状態の平面図である。
【図５】図１で示す歯科用治療器具の断面図である。
【符号の説明】
１  バスケット
２  キャップ
３  ネジ
４  歯科インプラント
７  孔
８  通孔
９  薬剤
【図１】
0004172736.tif 000002
【図２】
0004172736.tif 000003
【図３】
0004172736.tif 000004
【図４】
0004172736.tif 000005
【図５】
0004172736.tif 000006